(57)【要約】【課題】  オートクレーブ滅菌装置による滅菌工程時の急激な温度変化に曝される内視鏡のライトガイド繊維束の端面から照射される照明光が安定した所定の光量及び照明範囲を照射できる内視鏡の実現。【解決手段】  本発明の内視鏡は、観察光学系であるライトガイド繊維束が内部に挿通され、先端部に内部空間を有する細長な挿入部を有する内視鏡であって、挿入部の前記先端部に設けられ、一面に照明光学部材が配設されるレンズ孔を有する先端構成部と、先端構成部内に前記ライトガイド繊維束の端面が前記照明レンズへ臨むように前記ライトガイド繊維束を固着するライトガイド枠と、ライトガイド繊維束の前記端面まで気密充填材を注入する充填口とを具備する。【選択図】図２
2006020726.tif 000002
【特許請求の範囲】
【請求項１】
観察光学系であるライトガイド繊維束が内部に挿通され、先端部に内部空間を有する挿入部を具備する内視鏡であって、
前記挿入部の前記先端部を形成する、一面に照明光学部材が配設されるレンズ孔を有する先端構成部と、
該先端構成部内に前記ライトガイド繊維束の端面が前記照明光学部材へ臨むように前記ライトガイド繊維束を固着するライトガイド枠と、を有し、
前記内部空間には、前記照明光学部材に接触せず、且つ、前記ライトガイド繊維束の前記端面まで気密充填材が注入されることを特徴とする内視鏡。
【請求項２】
前記先端部には、前記気密充填材を注入するための充填口が前記先端構成部と前記ライトガイド枠の間の溝孔によって形成されることを特徴とする請求項１に記載する内視鏡。
【請求項３】
前記ライトガイド枠は、先端部分に切欠き部が設けられるフランジ部を有し、
前記内部空間は、前記充填口と前記切欠き部を介して連通されることを特徴とする請求項２に記載する内視鏡。
【請求項４】
前記先端構成部の前記レンズ孔は、前記気密充填材を滞留する滞留部を有していることを特徴とする請求項１から請求項３のいずれかに記載する内視鏡。
【請求項５】
前記ライトガイド繊維束の前記端面の側周に装着され、且つ、前記照明光学部材に接触しない略管状のリング部材を有していることを特徴とする請求項１から請求項４のいずれかに記載する内視鏡。
【請求項６】
前記リング部材は、前記先端構成部の前記内部空間を気密にするように、その内周面及び外周面が夫々に前記ライトガイド繊維束の側周面及び前記先端構成部の前記レンズ孔近傍の内周面に密着していることを特徴とする請求項５に記載する内視鏡。
【請求項７】
前記リング部材は、前記先端構成部に対して、固定部材によって固定されることを特徴とする請求項５又は請求項６に記載する内視鏡。
【請求項８】
前記先端構成部内に設けられ、前記ライトガイド繊維束が挿通される管状の口金部を有し、
前記口金部から基端側の前記ライトガイド繊維束にチューブが被覆され、
前記口金部の長手軸と前記チューブに挿通していない前記ライトガイド繊維束の長手軸が同軸上にないことを特徴とする請求項１から請求項７のいずれかに記載する内視鏡。
【請求項９】
観察光学系であるライトガイド繊維束に気密充填剤を塗布し、
前記気密充填剤が塗布された前記ライトガイド繊維束をライトガイド枠に固着し、
前記気密充填剤を硬化させて前記ライトガイド繊維束と前記ライトガイド枠からなるライトガイドユニットを形成し、
内部に空間を有する先端構成部に、前記ライトガイド繊維束の端面が、前記先端構成部のレンズ孔の開口部に臨むように、前記ライトガイドユニットを組込むことによって先端部を形成し、
前記先端部の内部空間に、前記先端部の充填口から前記ライトガイド繊維束の端面まで前記気密充填剤を注入し、
前記先端部の前記気密充填剤を硬化させ、
前記先端構成部の観察光学窓に、照明光学部材を組込むことを特徴とする内視鏡の組立て方法。
【発明の詳細な説明】
【技術分野】
【０００１】
本発明は、細長な挿入部内部に挿通するライトガイド照明を有する内視鏡及び内視鏡先端部の組立て方法に関する。
【背景技術】
【０００２】
医療分野又は工業分野において、体腔内、配管内部などを観察する内視鏡が広く用いられている。この内視鏡には、挿入部の先端面から被検体を撮像、照明光の照射などする直視型内視鏡と、挿入部の先端部分の側面から被検体を撮像、照明光の照射などする側視型内視鏡がある（以下、区別しない場合は、単に内視鏡という）。また、内視鏡には、挿入部が硬性部材からなる硬性鏡及び挿入部が軟性部材からなる軟性鏡がある。
【０００３】
特に、医療分野に使用される内視鏡には、使用される前後に消毒滅菌処理が必要である。内視鏡の使用前及び使用後には、洗滌消毒装置によって、洗滌液、消毒液、ガスなどにより内視鏡が洗滌消毒されたり、硬性鏡の場合はオートクレーブ滅菌装置によって、高温高圧水蒸気により内視鏡が滅菌処理される。
【０００４】
特にオートクレーブ滅菌装置によって滅菌処理される内視鏡には、オートクレーブ滅菌装置の高温高圧水蒸気による滅菌処理時に高温高圧水蒸気が特に内部の電子回路の周囲に浸透しないように防水性の高い工夫がされている。このオートクレーブ滅菌装置によって高温高圧水蒸気が曝される内視鏡は、外部の熱が内視鏡の外装より内部へ熱伝導され、その内部の温度も高温になる。
【０００５】
内視鏡には、内部に照明光学系である何本ものファイバ繊維からなるライトガイド繊維束が挿通している。ライトガイド繊維束は、基端側のファイバ繊維を結束させるため、チューブに覆われており、先端側のファイバ繊維が接着剤などによって結束されている。
【０００６】
例えば、特開昭６２−８６３２３号公報に示される側視型内視鏡においては、ライトガイド繊維束を先端口金に被着させる弾力性又は柔軟性を有するシリコン系接着剤をライトガイド繊維束及び先端構成部に充填塗布する提案がされている。このシリコン系接着剤の弾力性又は柔軟性によって、ライトガイド繊維束にオートクレーブ滅菌装置の高温高圧水蒸気の温度変化によってもライトガイド繊維束と先端構成部が剥離しないような工夫がされている。
【０００７】
さらに、実公昭５８−９２０８号公報に示されるように、側視型内視鏡のライトガイド繊維束の照明光を被検体などに照射する端面が臨む照明光学部材である照明レンズは、ライトガイド繊維束の端面と対向する面に凹部を有するようにした提案もある。この凹レンズ部によって、ライトガイド繊維束からの照明光によって、広範囲に被検体などが照射される。
【特許文献１】特開昭６２−８６３２３号公報
【特許文献２】実公昭５８−９２０８号公報
【発明の開示】
【発明が解決しようとする課題】
【０００８】
しかしながら、特開昭６２−８６３２３号公報に開示されている内視鏡の先端部内のライトガイド繊維束は、ライトガイド繊維束の先端面側の部分は、シリコン系接着剤が被着されておらず、ライトガイド繊維束の先端部分が外部との温度差及び圧力差によって、剥離するおそれがある。そのため、複数のファイバ繊維であるライトガイド繊維束は、オートクレーブ滅菌装置の滅菌工程の急激な温度変化を何度も曝されると、シリコン系接着剤の被着されていない端面部分が散らける。そこで、内視鏡の先端部に設けられる内部空間の全てに接着剤を充填すると、ライトガイド繊維束の端面からの照明光が接着剤によって遮られ、照明光の所定の光量及び照射範囲を制限されてしまう。
【０００９】
製造過程においては、上述のライトガイド繊維束及び照明レンズの取り付けは、照明レンズを内視鏡の先端構成部の先端面に組付けた後、ライトガイド繊維束を挿入部内に挿通させて、照明レンズの凹レンズ部にライトガイド繊維束の先端面が臨むように固定する。組立て作業者は、照明レンズを先に取り付けているため、先端構成部内部が見え難く、ライトガイド繊維束を先端構成部に固着するための接着剤をライトガイド繊維束の先端面付近まで充填させることが難しい。また、接着剤を充填しすぎると、ライトガイド繊維束の先端面には、接着剤が流れ込み、照明性能の低下が生じると共に、照明光の熱により接着剤が焼けてしまうという虞がある。その結果、ライトガイド繊維束は、先端構成部に固着されていれば良いとされ、接着剤の充填量について考慮がされていない。
【００１０】
そのため、上述と同様の構造を採用している硬性、軟性、直視及び側視などの各種内視鏡を問わず、先端構成部内の照明レンズ、ライトガイド繊維束及び充填材によって形成される空間の体積が比較的大きくなってしまう。従って、オートクレーブ滅菌装置による内視鏡の滅菌処理の際、ライトガイド繊維束などが挿通される挿入部の先端部に形成される内部空間の空気は、急激に高温から低温への温度低下などがされ、その飽和水蒸気量も小さくなる。つまり、先端構成部の内部空間の空気には、含有する水分が飽和量を超え、水蒸気が発生され、内視鏡の照明レンズ、特に、実公昭５８−９２０８号公報に示される凹レンズ部の表面に曇りが生じたり、水滴などの付着が生じる。内視鏡の照明レンズに発生した曇り、あるいは、付着した水滴などは、内視鏡が常温に戻るまで放置、温めるなどすれば消滅する。しかし、その曇り、水滴などが乾燥しても、照明レンズ及びその凹レンズ部には、それらの水垢が付着してしまう。
【００１１】
その結果、特に、側視内視鏡は、ライトガイド繊維束の端面から照射される照明光が照明レンズ及びその凹レンズ部に曇りが生じたり、水滴、水垢などが付着することによって所定の照明光量が低下される。
【００１２】
本発明は、上述の事情に鑑みて成されたものであり、充填材をよりライトガイド繊維束の先端面の近くまで充填するために、ライトガイド繊維束を先端構成部に固着させた後、照明レンズを先端構成部の先端面に組付け、照明レンズ、ライトガイド繊維束及び充填材によって形成される先端構成部の内部空間を極力少なくすることで、オートクレーブ滅菌処理時に照明レンズ及びその凹レンズ部が曇り、水滴による水垢の発生を低減でき、ライトガイド繊維束の端面から照射される照明光が安定した所定の光量及び照明範囲を照射できる内視鏡の提供を目的とする。
【課題を解決するための手段】
【００１３】
本発明の内視鏡は、観察光学系であるライトガイド繊維束が内部に挿通され、先端部に内部空間を有する細長な挿入部を有する内視鏡であって、挿入部の前記先端部に設けられ、一面に照明光学部材が配設されるレンズ孔を有する先端構成部と、先端構成部内に前記ライトガイド繊維束の端面が前記照明光学部材へ臨むように前記ライトガイド繊維束を固着するライトガイド枠と、ライトガイド繊維束の前記端面まで気密充填材を注入する充填口とを具備する。
【発明の効果】
【００１４】
本発明によれば、オートクレーブ滅菌処理における照明レンズへの曇り、水滴及び水垢の発生を低減でき、ライトガイド繊維束の端面から照射される照明光が安定した所定の光量及び照明範囲を照射できる内視鏡を実現することができる。
【発明を実施するための最良の形態】
【００１５】
（第１の実施の形態）
以下、図面を参照して本発明の実施の形態を説明する。  
図１は本実施の形態に係る内視鏡１を説明する図である。図１に示すように本実施形態の側視型の内視鏡１は、体腔内に挿入される細長で可撓性を有する挿入部２と、この挿入部２の基端部に連設した操作部３と、この操作部３の側部から延出して図示しない光源装置、ビデオプロセッサなどの接続部に着脱自在なコネクタ部を端部に設けたユニバーサルコード４とによって主に構成されている。
【００１６】
挿入部２には、先端側から順に、硬質部材で形成した先端部５と、複数の湾曲駒を回動自在に連接して例えば上下左右方向に湾曲自在に形成した湾曲部６と、柔軟性を有する可撓管部７とが連設している。
【００１７】
前記先端部５の側部には照明光を照射するための照明窓が一端面となるレンズ取り付け孔部８、光学像を撮像するための観察窓９及び収納室１０が設けられている。この収納室１０には処置具である例えばカニューラ３０の先端部分３０ａの突出方向を所望の位置に向ける処置具誘導子１１が設けてある。なお、符号３０ｂは、カニューラ３０の基端部に位置する造影剤充填口である。
【００１８】
前記操作部３の側面には、湾曲部６の湾曲方向を手元操作によって変化させる湾曲操作ノブ１２ａ及び１２ｂが重設される。観察窓９でとらえた光学像は、ユニバーサルコード４の基端と電気的に接続される、図示しないビデオプロセッサを介して図示しないモニタによって画像表示される。また、操作部３には、処置具誘導子１１が回動されて処置具の突出方向を変化させる誘導子起上レバー１４、送水機能を制御する送水ボタン１５、吸引機能を制御する吸引ボタン１６、収納室１０に一端部が連通する処置具挿通用チャンネルの入口側となる鉗子挿入口１７などが設けられている。つまり、前記収納室１０は処置具挿通チャンネルの出口を兼ねている。さらに、この操作部３には図示しない光源装置の光量調整などを遠隔的に行う各種スイッチ１３が設けられている。
【００１９】
図２は、先端部５の内部を示す断面図である。  
図２に示すように先端部５には、観察光学系３５が内蔵されている。この観察光学系３５は、観察窓９と、複数の各種光学レンズ２６をレンズ枠２７に固定して構成した対物レンズユニット２８と、この対物レンズユニット２８の結像位置に配置されて、観察画像を電気信号に変換する固体撮影素子２９などによって構成されている。なお、図２においては、側視型の内視鏡１であるため観察方向を変換するプリズム３１が観察光学系３５に配置されている。さらに、先端部５には、観察光学系３５以外にもライトガイド繊維束３２（以下、ＬＧバンドル３２という。）の先端面が臨む観察窓９の窓面に向けて空気や水などを噴出する送気送水ノズル３３などが設けられている。ＬＧバンドル３２は、その先端面がレンズ取り付け孔部８に設けられる照明レンズ２０の一面に先端面が対向して観察時の照明光を供給する照明光学系である。
【００２０】
照明レンズ２０は、凹レンズで形成されるが、これに限らず凸レンズ及び光の入射側に方面処理（例えば砂目状）を施して、照明光を広角に分散できるようにしたレンズを採用しても良い。この照明レンズ２０は、レンズ取り付け孔部８を有している先端構成部４１の段部に嵌め込まれ、レンズ取り付け孔部８である先端構成部４１の開口窓を閉塞するように嵌入している。
【００２１】
先端部５は、硬質部材からなる先端構成部４１、ＬＧバンドル３２が固着されるライトガイド枠４２（以下、ＬＧ枠４２という。）などによって略円柱状に外形が形成されている。ＬＧバンドル３２は、ＬＧ枠４２の溝部４２ｂ（図３参照）内に一部が入り込むように組付けられ、ＬＧ枠４２と一体となる後述するＬＧユニット３２Ａが構成される。
【００２２】
また、図２に示すように、先端部５の内部には、照明レンズ２０に接触しないように、ＬＧバンドル３２の端面まで内部空間８ａのレンズ取り付け孔部８側の部分にテーパ面が形成されるように気密充填材が充填されている。
【００２３】
次に、図３を使用してＬＧ枠４２とＬＧバンドル３２について、そして、図４を使用してＬＧ枠４２、先端構成部４１、ＬＧバンドル３２及び照明レンズ２０について詳しく説明する。図３は、ＬＧ枠４２とＬＧバンドル３２の組付けを説明するための斜視図であり、図４は、ＬＧ枠４２とＬＧバンドル３２からなるＬＧユニット３２Ａ、照明レンズ２０及び先端構成部４１の組付けを説明するための斜視図である。  
ＬＧ枠４２は、先端構成部４１に組付けられ、一体となることによって、先端部５を略円筒状に形成するために、先端構成部４１の外周に合わせて、図３の紙面に向かって下部側が弧を描くような略４分の１の円柱形状をしている。また、ＬＧ枠４２は、ＬＧバンドル３２が組付けられる長穴である溝部４２ｂを有し、先端部分にフランジ部を有している。
【００２４】
ＬＧ枠４２の溝部４２ｂは、ＬＧバンドル３２の底面側の形状と略同一形状をしている。ＬＧ枠４２のフランジ部には、気密補填材、例えば接着剤などを後述する先端構成部４１の内部空間８ａ（図４参照）に充填するための充填口となる切欠き部４２ａが形成されている。
【００２５】
ＬＧバンドル３２は、複数のファイバ繊維からなり、先端側が束の状態を保たれながら屈曲するように、口金部（図示しない）まで接着剤などによって結束されている。また、ＬＧバンドル３２は、先端面が略四角形であり、基端側に向かうにつれて徐々に略円筒状に形成される。
【００２６】
このＬＧバンドル３２の一部は、ＬＧ枠４２の溝部４２ｂに嵌め込まれ、後述する接着剤によって接着固定されてＬＧ枠４２と一体となるＬＧユニット３２Ａが作られる。つまり、ＬＧバンドル３２の一部は、底面がこの溝部４２ｂの形状に合わさって所定の位置によって接着剤によって固着される。また、ＬＧバンドル３２の屈曲部の一部分は、ＬＧバンドル３２の先端面が所定の方向を向くように、具体的にはＬＧバンドル３２の先端面がレンズ取り付け孔部８に臨むように、ＬＧ枠４２の溝部４２ｂの先端部に当接する。
【００２７】
次に、図４を使って、先端構成部４１及びＬＧユニット３２Ａついて詳しく説明する。  
先端構成部４１は、一部が面取りされている略円柱形状をしている。この先端構成部４１の面取りされた面には、内部に向けて照明レンズ２０が嵌入する円筒状のレンズ孔であるレンズ取り付け孔部８を有している。さらに、先端構成部４１のレンズ取り付け孔部８と反対側の側面は、ＬＧ枠４２が嵌着する略４分の１円柱状の嵌着部を有する。先端構成部４１は、レンズ取り付け孔部８からその溝部に向けて、略四角柱の内部空間８ａを有している。
【００２８】
図４に示すように、先端構成部４１に略Ｌ字に形成されたＬＧユニット３２Ａは、ＬＧバンドル３２の先端面が先端構成部４１のレンズ取り付け孔部８に向くように、先端構成部４１の嵌着部に挿嵌されている。このＬＧユニット３２Ａが先端構成部４１の嵌着部に挿嵌された状態において、ＬＧ枠４２のフランジ部の端面は、先端構成部４１の先端側の嵌着端面と当接する。また、先端構成部４１の嵌着部の先端側の嵌着端面と対向するＬＧ枠４２のフランジ部を除く先端面とは、ＬＧ枠４２のフランジ部のフランジ長だけ夫々の面が離間する。よって、開口に通じるＬＧ枠４２と先端構成部４１とによって構成する先端部５の側面には、溝孔である充填口４１ａが形成される。つまり、溝孔である充填口４１ａは、ＬＧ枠と先端構成部４１の間の隙間である。この充填口４１ａとＬＧ枠４２の切欠き部４２ａと先端構成部４１との間の開口とは、連通している。
【００２９】
さらに、ＬＧ枠４２の切欠き部４２ａと先端構成部４１との間に開口が形成され、この開口は、先端構成部４１の内部空間８ａと連通する。なお、切り欠き部４２ａは、充填口４１ａと内部空間８ａとを連通できるように、ＬＧ枠４２のフランジ部に穿設される孔でも良い。
【００３０】
充填口４１ａは、先端構成部４１の内部空間８ａに気密充填材を充填できるように、ＬＧ枠４２の切欠き部４２ａと先端構成部４１との間の開口を介して、先端構成部４１の内部空間８ａに連通する。つまり、この内部空間８ａには、後述するように、気密充填剤、ここでは、樹脂系接着剤（以下、単に接着剤という。）などが先端部５の充填口４１ａからＬＧ枠４２の切欠き部４２ａの開口を通って、先端構成部４１の内部空間８ａに充填される。  
また、ＬＧユニット３２Ａが先端構成部４１の嵌着部に挿嵌された状態において、Ｌ字状に固められたＬＧバンドル３２の先端面は、先端構成部４１のレンズ取り付け孔部８側の内部空間８ａの端部近傍に位置している。
【００３１】
次に図５から図１５を参照しながら、内視鏡１の先端部５、ＬＧバンドル３２、先端構成部４１、ＬＧ枠４２及び照明レンズ２０の組立て方法について説明する。なお、本実施の形態での説明においては、ＬＧバンドル３２は、既に先端部分が屈曲させた状態にして接着剤によって所定のＬ字状に結束され、固められて、基端部が外覆チューブに挿通している状態である。
【００３２】
組立て作業者（以下、単に作業者という。）は、図５に示すように、ＬＧバンドル３２の屈曲する基端側の周囲に接着剤を塗布する。そして、図３のように、作業者は、ＬＧバンドル３２の先端部分が突出するようにＬＧ枠４２の溝部４２ｂに組込む。その結果、ＬＧバンドル３２は、底面形状がＬＧ枠４２の溝部４２ｂの形状が略同じであるため、所定の係合位置において、ＬＧ枠４２に固着する。このＬＧバンドル３２がＬＧ枠に固着した状態において、ＬＧバンドル３２の先端面は、ＬＧバンドル３２の屈曲部分の表面の一部がＬＧ枠４２の溝部４２ｂ側の底面及び側面の一部と当接するため、所定の向きに位置決めされる。
【００３３】
図６から図７は、ＬＧバンドル３２がＬＧ枠４２に固着され、気密充填材がＬＧ枠４２の溝部４２ｂに充填された状態の横断面図である。作業者は、図４の状態から図５に示すように、ＬＧバンドル３２が組込まれたＬＧ枠４２の溝部４２ｂが略埋め尽くされるように、接着剤を、例えば、注射器などによって充填する。
【００３４】
次に、作業者は、ＬＧバンドル３２を固着するためにＬＧ枠４２とＬＧバンドル３２を加熱処理機に配置し接着剤を加熱硬化させる。この接着剤の硬化後に、ＬＧバンドル３２とＬＧ枠４２との間に、例えば、図６に示すような、接着剤のひけである凹部４５ａが発生した場合、作業者は、図７に示すように、凹部４５ａに例えば、ピンなどを使って接着剤を充填する。その後、場合によっては、作業者は、凹部４５ａに充填した接着剤などを硬化させるため、加熱処理機によって凹部４５ａに充填された接着剤などの加熱硬化処理をする。
【００３５】
作業者は、接着剤のひけである凹部４５ａに接着剤が確実に充填されているのを顕微鏡などによって確認する。次に、ＬＧユニット３２Ａが先端構成部４１に当接する面に接着剤を塗布し、図８に示すようにＬＧバンドル３２の端面が、レンズ取り付け孔部８に臨むように先端構成部４１の嵌着部にＬＧ枠４２を嵌入する。このとき、接着剤は、ＬＧユニット３２Ａと先端構成部４１が当接する部分を固着して、余剰分が内部空間８ａ内に流れ込む。
【００３６】
ＬＧユニット３２ＡがＬＧ枠４２に嵌入され、固着することによって先端部５が形成されると、先端構成部４１の嵌着部の先端側の嵌着端面と、その嵌着端面と対向するＬＧ枠４２のフランジ部を除く先端面とは、ＬＧ枠４２のフランジ部のフランジ長だけ夫々の面に隙間ができるため、溝孔である充填口４１ａが形成される。また、この充填口４１ａは、先端構成部４１の内部空間８ａとＬＧ枠４２の切欠き部４２ａによって先端構成部４１の内部空間８ａに連通する。
【００３７】
次に、作業者は、先端部５のＬＧ枠４２が上部側になるように、つまり、図８に示す紙面に向かって上方にＬＧ枠４２が位置するようにし、充填口４１ａから内部空間８ａの残存する空間を埋めるように、接着剤を注射器など使って充填する。このとき、作業者は、接着剤を先端構成部４１のレンズ取り付け孔部８に流れ込まないようにＬＧバンドル３２の端面まで充填する。  
また、先端部５の充填口４１ａから接着剤を充填する際、作業者は、接着剤を充填し過ぎないように顕微鏡などによって確認しながら、接着剤を充填することが望ましい。さらに、作業者は、接着剤がＬＧバンドル３２の端面近傍に達せず、図９に示すような凹部４５ｂが形成された場合、凹部４５ｂが解消するまで、つまり、図１０に示すように、ＬＧバンドル３２の端面まで内部空間８ａのレンズ取り付け孔部８側の部分に接着剤のテーパ面が形成されるように、注射器などを使って、充填口４１ａより接着剤を充填する。また、充填口４１ａより後から充填する接着剤は、粘性の低い同種の接着剤を使用しても良い。このとき、作業者は、接着剤が先端構成部４１のレンズ取り付け孔部８に流れ込まないようにする。
【００３８】
次に、作業者は、加熱処理機によってＬＧユニット３２Ａと先端構成部４１からなる先端部５を配置し、接着剤を加熱硬化処理する。なお、図１１に示すように、先端部５の内部空間を埋める接着剤の加熱処理による、ひけなどの凹部４５ｃが発生した場合、作業者は、図１２に示すように、ＬＧバンドル３２の端面まで内部空間８ａのレンズ取り付け孔部８側の部分に接着剤のテーパ面を形成するようにピンなどを使って接着剤を充填し、この時、作業者は、顕微鏡などによって、接着剤を充填し過ぎていないか確認し、再度、加熱処理機に先端部５を配置し、接着剤を加熱硬化処理する。
【００３９】
次に、作業者は、図１３に示すように照明レンズ２０の外周面に少量の粘性の高い接着剤を塗布し、先端部５のレンズ取り付け孔部８に嵌め込む。この照明レンズ２０の嵌め込み後、作業者は、顕微鏡などによって、照明レンズ２０の側面と対向するレンズ取り付け孔部８の内周面の間に接着剤が行き渡っていることを確認する。顕微鏡などを使用しながら、作業者は、照明レンズ２０の外周面とレンズ取り付け孔部８の内面との間に、粘性の低い接着剤を注射器など使用して充填する。この充填作業において、作業者は、照明レンズ２０の側面とレンズ取り付け孔部８の内周面に接着剤が確実に充填されていることを確認する。
【００４０】
次に、図１４の状態において、作業者は、各部分に充填した接着剤を硬化させるため、加熱処理機によって熱処理する。最後に、図１４に示すように、先端部５に照明レンズ２０が嵌合する表面の段差をなだらかに整形するために、例えば、エラストマのような合成樹脂を照明レンズ２０表面に触れないように、照明レンズ２０と先端構成部４１の結合する境目に塗布し、外観整形部２０ａを整形する。
【００４１】
こうして、作業者は、最終的な顕微鏡による各種確認を行って、先端部５、ＬＧバンドル３２、先端構成部４１及びＬＧ枠４２の組立て作業を終了し、先端部５へ対物レンズユニット２８など、他の部材の組立て作業をおこなう。  
なお、接着剤の各充填時において、作業者は、先端構成部４１、ＬＧ枠４２などに充填する接着剤などに気泡などが入らないように顕微鏡などによって確認することが好ましい。さらに、作業者は、接着剤を多く充填、塗布などした場合、布などによって接着剤を拭き取り、適量の接着剤を再度、充填、塗布する。なお、先端構成部４１の内部空間８ａに充填される接着剤のテーパ面は、これに限られることはなく、照明レンズ２０に接触しない面であれば良い。
【００４２】
こうして組立てられた、本実施の形態に係る内視鏡１は、先端構成部４１とＬＧ枠４２によって形成される充填口４１ａがＬＧ枠４２の充填口である切欠き部４２ａとによって先端部５のＬＧバンドル３２が配設される内部空間８ａと連通しているため、気密充填剤、ここでは、樹脂系接着剤をＬＧバンドル３２の端面まで容易に気密充填することができる。よって、ＬＧバンドル３２の端面と対向する照明レンズ２０の内側表面との間の空間の体積が最小限に抑えることができる。
【００４３】
従って、内視鏡１は、オートクレーブ滅菌装置による処理の間において、内視鏡１の外部とＬＧバンドル３２の端面と照明レンズ２０の対向する面との間に形成される空間の温度差などを原因とする照明レンズ２０の曇り、水滴などの発生を抑えることができる。その結果、ＬＧバンドル３２と対向する照明レンズ２０の表面である球面部に水滴などが乾燥するなどして発生する水垢などの付着が抑制できる。さらに、接着剤は、照明レンズ２０に接触しないため、接着剤によるＬＧバンドル３２からの照明性能が低下しない。また、ＬＧバンドル３２は、その外周全てにおいて、接着剤剤及び被覆チューブに覆われているため、オートクレーブ滅菌装置による高温高圧水蒸気による極度な温度差、長年の使用などによって、その形状を形成するファイバ繊維束の剥離などが防止される。
【００４４】
さらに、照明レンズ２０は、内視鏡１の先端部５のレンズ取り付け孔部８に組付ける前に、粘性の高い接着剤を塗布され、照明レンズ２０がレンズ取り付け孔部８に組付けられた後には、粘性の低い接着剤が充填されるため、照明レンズ２０の外周面と対向する先端部５の内面は、容易に気密接着剤が充填される。従って、粘性が高い接着剤が、粘性の低い接着剤のＬＧバンドル３２と対向する面の照明レンズ２０の球面部、つまり、凹レンズに接着剤が流入し付着するのを防ぐため、ＬＧバンドル３２からの照明光は接着剤によって、その照射が妨げられない。
【００４５】
以上の結果、本実施の形態の内視鏡１は、オートクレーブ滅菌装置による処理の間の急激な温度変化に曝される内視鏡のライトガイド繊維束の端面から照射される照明光が安定した所定の光量及び照明範囲を照射できる。
【００４６】
なお、第１の実施の形態に係る内視鏡１の変形例を以下、図１６から図１８を参照しながら説明する。  
図１６は、先端構成部４１のレンズ取り付け孔部８の側周面のＬＧバンドル端面側に設けられる滞留部４５を説明するための図である。
【００４７】
図１６に示す滞留部４５は、レンズ取り付け孔部８の開口端の反対側にＬＧバンドル３２の外周面と対向する先端構成部４１の内周面に形成される溝である。尚、この溝は、先端構成部４１の内部空間８ａの側面に合わせて形成される周溝でも良い。
【００４８】
この滞留部４５は、先端構成部４１とによって形成される空間の外周径がレンズ取り付け孔部８に組付けられる照明レンズ２０の外周径よりも、小さい径を有するように先端構成部４１のＬＧバンドル３２の外周面に対向する面に形成され、溝切りされている。つまり、滞留部４５が溝切りされている先端構成部４１の内部空間の内側面とＬＧバンドル３２の先端面側の外周面との間の距離は、滞留部４５が溝切りされていない先端構成部４１の内側面とＬＧバンドル３２の外周面との間の距離より長い。
【００４９】
その結果、作業者は、ＬＧバンドル３２の端面まで接着剤などの気密充填材を充填する際、滞留部４５に接着剤などが流れ込み易いためＬＧバンドル３２の先端面側に接着剤などが付着し難くなる。従って、作業者は、接着剤などの補充及び外観形成が容易となり、尚且つ、接着剤などが所定量より多く充填した場合においても、その余分な接着剤などの拭き取りが容易となる。
【００５０】
さらに、図１７に示すように、ＬＧバンドル３２の先端部分に密着し、先端構成部４１の内部空間を形成する側面とも密着する管状のリング部材４６を設けても良い。このリング部材４６は、弾性変形可能な材質であることが好ましく、ＬＧバンドル３２の先端部分の外周形状、例えば、四角形など多角形の孔を有し、ＬＧバンドル３２の外周面及び先端構成部４１の前記側面と気密に密着するように設けられる。また、リング部材４６が設けられていないＬＧバンドル３２の外周面と先端構成部４１の前記内側面によって形成される空間には、気密充填材を充填されることが好ましい。さらにまた、リング部材４６の孔は、ＬＧバンドル３２の先端面の形状、例えば、円形、楕円形などに合わせた形状であって、その外周形状は、先端構成部４１の前記側面形状と略同一形状が好ましい。
【００５１】
なお、図１８に示すように、例えば、ねじ４８などの固定部材と螺合するねじ溝を有し、先端構成部４１に設けられる孔に嵌入する凸部を有する管状部材４７でも良い。さらに、管状部材４７の凸部を上述のリング部材４６が有しているものでも良い。
【００５２】
これらの結果、ＬＧバンドル３２の先端面は、照明レンズ２０を臨む方向が固定されるため、安定した照明光の照射が行える。また、ＬＧバンドル３２は、先端面の形成されるファイバ繊維束が、内視鏡１がオートクレーブ滅菌装置によって滅菌処理されても、高温高圧水蒸気による極度な温度差、長年の滅菌処理などによって、その先端面をはじめとするファイバ繊維束の剥離などが防止される。
【００５３】
本実施形態で使用する気密充填材は、エポキシ樹脂にゴム、プラスチックなどを添加した主剤にアミン系硬化剤（脂肪族アミン、ポリアミドアミン、芳香族アミン、環状アミン及び脂肪芳香族アミン）を混合する二液反応型接着剤を使用する。また、二液反応型接着剤の樹脂系接着剤に限ることなく、種々の洗浄消毒方法に対応し、耐酸化劣化、耐熱老化性及び耐加水分解性のあるエラストマ系接着剤、弾性接着剤、構造用アクリル系接着剤、光硬化形接着剤など人体に影響の少ない接着剤を使用しても良い。
【００５４】
さらにまた、気密充填材には、人体に影響の無い気密粘着性の高いパテなどを使用しても良い。このパテなどを使用することによって、先端構成部４１とＬＧ枠４２を容易に脱離させることができる。その結果、内視鏡１の先端部５の内部に設けられる対物レンズユニット２８、ＬＧバンドル３２などの保守、交換などが容易とされる。
【００５５】
（第２の実施の形態）
本実施の形態は、第１の実施の形態に係る内視鏡１の変形例であって、第１の実施の形態の内視鏡１と同じ構成要素については、同一の符号を付し説明は省略する。
【００５６】
図１９は、第２の実施の形態に係る内視鏡１の先端部５の内部構造を示し、図２０に示すＩＩＩ−ＩＩＩ線に沿う横断面図、図２０は、図１９に示すＩＶ−ＩＶ線に沿う縦断面図である。図２１は、ＬＧバンドル３２の先端部分を先端面側から見た図、図２２は、ＬＧバンドル３２を横から見た図である。また、図２３は、図２２のＡ−Ａ線に沿うＬＧバンドル断面３２ａを示す断面図、図２４は図２２のＢ−Ｂ線に沿うＬＧバンドル断面３２ｂを示す断面図、図２５は、図２２のＣ−Ｃ線に沿うＬＧバンドル断面３２ｃを示す断面図である。
【００５７】
図１９に示す、ＬＧバンドル３２は、先端部５の先端側に向かって延出し、先端構成部４１に図示しない固定部材によって固定される口金部５０に挿通している。詳しくは、ＬＧバンドル３２は、口金部５０から先端部の先端面側に、図１９の紙面に向かって左下方に滑らかに屈曲するように延出している。また、この左下方に延出するＬＧバンドル３２は、その外周面がＬＧ枠４２の長手軸に沿うように先端方向に滑らかに屈曲し、先端構成部４１の先端側の内面に沿うように、図１９の紙面に向かって上方に屈曲している。ＬＧバンドル３２の端面側、つまり上方側から見る形状は、図２１を参照されたい。
【００５８】
つまり、ＬＧバンドル３２は、内視鏡１の先端部５の内部において、長手軸が基端側につれて先端部５の長手方向の中心側に近づく、異なる長手軸を有している。
【００５９】
このＬＧバンドル３２の基端側は、略筒状の口金部５０に挿通している部分において略円柱形状が形成され、口金部５０の内部からファイバ繊維束の捻れによる折損防止など、保護するための、図示しない被覆チューブに覆われている。この被覆チューブは、ＬＧバンドル３２の基端と接続される図示しない光源装置までＬＧバンドル３２を覆っている。
【００６０】
口金部５０は、先端構成部４１と固定部材によって固定され、挿通するＬＧバンドル３２を保持している。
【００６１】
ＬＧバンドル３２の端面は、図２１に示すように多角形、ここでは四角形状をしている。ＬＧバンドル３２の外周形状は、図２３〜図２５に示すように、基端側に向かうにつれて、図２２のＡ−Ａ線に沿うＬＧバンドル断面３２ａのような略台形の形状、Ｂ−Ｂ線に沿うＬＧバンドル断面３２ｂのような略円形の形状となり、口金部５０の内部においてＣ−Ｃ線に沿うＬＧバンドル断面３２ｃの円形の形状をしている。
【００６２】
また、第１の実施の形態と同様に、先端構成部４１の内部空間８ａには、ＬＧバンドル３２の照明レンズ２０を臨む端面まで気密充填材が充填されている。
【００６３】
この構成によれば、先端部５に挿通するＬＧバンドル３２は、基端側が内視鏡１の先端部５の長手方向の中心側に近づいているため、保持される口金部５０も先端部５の長手軸側に設けられる。その結果、口金部５０の肉厚が影響しないため、第１の実施の形態の効果に加え、内視鏡１の先端部５の外径を細くすることができる。
【００６４】
さらに、ＬＧバンドル３２は、先端面から基端に向かって徐々に円形状にその外周形状が変化しているため、口金部５０の内部に挿通する外径が最小外径となる。従って、口金部５０の孔径も小さくすることができ、内視鏡１の先端部５の外径をより細くすることができる。
【００６５】
また、ＬＧバンドル３２は、先端構成部４１に固定される口金部５０によって保持され、口金部５０から基端側のＬＧバンドル３２の外周が被覆チューブによって覆われているため、振動、捻れなどによるＬＧバンドル３２の折損が防止され、ＬＧバンドル３２の耐久性を向上できる。
【図面の簡単な説明】
【００６６】
【図１】第１の実施の形態に係る内視鏡を説明する図である。
【図２】内視鏡の先端部の内部を示す断面図である。
【図３】ＬＧ枠とＬＧバンドルを説明するための図である。
【図４】ＬＧユニット、照明レンズ及び先端構成部の組付けを説明するための斜視図である。
【図５】ＬＧユニットの横断面図である。
【図６】溝部に気密充填材が充填された状態のＬＧユニットの横断面図である。
【図７】溝部に充填される接着剤のひけを説明するための図である。
【図８】ＬＧユニットが先端構成部に組付けられた先端部の横断面図である。
【図９】先端構成部の内部空間に気密充填材が充填された先端部の横断面図である。
【図１０】硬化前の接着剤を説明するための先端部の横断面図である。
【図１１】硬化後の接着剤のひけを説明するための先端部の横断面図である。
【図１２】硬化後の接着剤を説明するための先端部の横断面図である。
【図１３】照明レンズがレンズ孔に組付け前の先端部の断面図である。
【図１４】照明レンズがレンズ孔に組付け後の先端部の断面図である。
【図１５】照明レンズの整形を説明するための先端部の断面図である。
【図１６】先端構成部の照明窓の側周面に設けられる滞留部を説明するための図である。
【図１７】ＬＧバンドルの先端部分に設けられる管状のリング部材を説明するための図である。
【図１８】ＬＧバンドルの先端部分に設けられる凸部を有する管状部材を説明するための図である。
【図１９】第２の実施の形態に係る内視鏡の先端部の内部構造を示す断面図である。
【図２０】図１９に示すＩＶ−ＩＶ線に沿う内視鏡の先端部を示す断面図である。
【図２１】ＬＧバンドルを先端面側から見た図である。
【図２２】ＬＧバンドルを横から見た図である。
【図２３】図２２のＡ−Ａ線に沿うＬＧバンドルの断面図である。
【図２４】図２２のＢ−Ｂ線に沿うＬＧバンドルの断面図である。
【図２５】図２２のＣ−Ｃ線に沿うＬＧバンドルの断面図である。
【符号の説明】
【００６７】
１…内視鏡、２…挿入部、３…操作部、４…ユニバーサルコード、５…先端部、６…湾曲部、７…可撓管部、８ａ…内部空間、８…レンズ取り付け孔部（レンズ孔）、９…観察窓、１０…収納室、１１…処置具誘導子、１２ａ…湾曲操作ノブ、１３…各種スイッチ、１４…誘導子起上レバー、１５…送水ボタン、１６…吸引ボタン、１７…鉗子挿入口、２０…照明レンズ（照明光学部材）、２０ａ…外観整形部、２６…各種光学レンズ、２７…レンズ枠、２８…対物レンズユニット、２９…固体撮影素子、３０…カニューラ、３０ａ…先端部分、３１…プリズム、３２…ライトガイド繊維束、３２Ａ…ＬＧユニット、３３…送気送水ノズル、３５…観察光学系、４１ａ…充填口、４１…先端構成部、４２…ライトガイド枠、４２ｂ…溝部、４２ａ…切欠き部、４５ａ,４５ｂ,４５ｃ…凹部
代理人    弁理士    伊  藤    進
【図１】
2006020726.tif 000003
【図２】
2006020726.tif 000004
【図３】
2006020726.tif 000005
【図４】
2006020726.tif 000006
【図５】
2006020726.tif 000007
【図６】
2006020726.tif 000008
【図７】
2006020726.tif 000009
【図８】
2006020726.tif 000010
【図９】
2006020726.tif 000011
【図１０】
2006020726.tif 000012
【図１１】
2006020726.tif 000013
【図１２】
2006020726.tif 000014
【図１３】
2006020726.tif 000015
【図１４】
2006020726.tif 000016
【図１５】
2006020726.tif 000017
【図１６】
2006020726.tif 000018
【図１７】
2006020726.tif 000019
【図１８】
2006020726.tif 000020
【図１９】
2006020726.tif 000021
【図２０】
2006020726.tif 000022
【図２１】
2006020726.tif 000023
【図２２】
2006020726.tif 000024
【図２３】
2006020726.tif 000025
【図２４】
2006020726.tif 000026
【図２５】
2006020726.tif 000027